(57)【要約】【課題】遊技者の属性に対応して配信情報を提示できるようにする。【解決手段】テーブル管理部２７２の属性情報管理部２７２ａは、照合対象者の顔画像より照合特徴量が抽出され、顔画像により照合対象者の属性を識別するための基準特徴量との類似度が計算され、類似度と所定の閾値との比較により、推定された前記照合対象者の属性情報を属性管理テーブル２７３に格納し、URL選択部２７５が、属性管理テーブル２７３に格納された属性情報に基づいて、URL管理テーブルに属性毎に格納されている配信情報のうち、属性情報に対応した配信情報を選択し、表示部２９４が、選択された配信情報を提示する。本発明は、サービス提供システムに適用することができる。【選択図】図１１
2009201536.tif 000002
【特許請求の範囲】
【請求項１】
照合対象者の顔画像の特徴量に基づいて推定された前記照合対象者の属性を示す属性情報を取得する属性情報取得手段と、
前記属性情報取得手段により取得された属性情報を属性管理テーブルに格納する属性情報格納手段と、
前記属性情報に対応付けて配信情報管理テーブルに格納された配信情報のうち、前記属性管理テーブルに格納されている属性情報に対応した配信情報を選択する選択手段と、
前記選択手段により選択された配信情報を提示する提示手段と
を含む情報処理装置。
【請求項２】
前記照合対象者の顔画像を取得する顔画像取得手段と、
前記顔画像取得手段により取得された照合対象者の顔画像より照合特徴量を抽出する特徴量抽出手段と、
前記顔画像により照合対象者の属性を識別するための基準特徴量と前記照合特徴量との類似度を計算し、類似度と所定の閾値との比較により、前記照合対象者の属性を推定し、前記属性を示す属性情報を生成する属性推定手段とをさらに含む
請求項１に記載の情報処理装置。
【請求項３】
前記照合対象者は、遊技台で遊技する遊技者であり、
前記遊技台の遊技状態を示す遊技情報を取得する遊技情報取得手段をさらに含み、
前記配信情報管理テーブルは、前記属性情報と前記遊技情報とに対応付けて配信情報を格納し、
前記選択手段は、前記配信情報管理テーブルに格納された配信情報のうち、前記属性情報取得手段により取得された属性情報と、前記遊技情報取得手段により取得された遊技情報とに対応する配信情報を選択する
請求項１に記載の情報処理装置。
【請求項４】
前記提示手段は、前記遊技台、または、前記遊技媒体貸出装置に設けられた表示装置である
請求項１に記載の情報処理装置。
【請求項５】
前記属性は、前記照合対象者の性別および年齢を含む
請求項１に記載の情報処理装置。
【請求項６】
照合対象者の顔画像の特徴量に基づいて推定された前記照合対象者の属性を示す属性情報を取得する属性情報取得ステップと、
前記属性情報取得ステップの処理により取得された属性情報を属性管理テーブルに格納する属性情報格納ステップと、
前記属性情報に対応付けて配信情報管理テーブルに格納された配信情報のうち、前記属性管理テーブルに格納されている属性情報に対応した配信情報を選択する選択ステップと、
前記選択手段により選択された配信情報を提示する提示ステップと
を含む情報処理方法。
【請求項７】
照合対象者の顔画像の特徴量に基づいて推定された前記照合対象者の属性を示す属性情報を取得する属性情報取得ステップと、
前記属性情報取得ステップの処理により取得された属性情報を属性管理テーブルに格納する属性情報格納ステップと、
前記属性情報に対応付けて配信情報管理テーブルに格納された配信情報のうち、前記属性管理テーブルに格納されている属性情報に対応した配信情報を選択する選択ステップと、
前記選択手段により選択された配信情報を提示する提示ステップと
を含む処理をコンピュータに実行させるプログラム。
【発明の詳細な説明】
【技術分野】
【０００１】
本発明は、情報処理装置および方法、並びにプログラムに関し、特に、遊技者の顔画像より推定される遊技者の属性と、遊技者の遊技している遊技台の遊技状態とに対応して配信情報を提示できるようにした情報処理装置および方法、並びにプログラムに関する。
【背景技術】
【０００２】
遊技店において、遊技台で遊技する際、遊技者が、大当りを発生させると、大当りの発生を証明する証明書と共に、ポイントサーバのURL（Uniform Resource Locator）をQR（Quick Response）コードなどにより提示し、このQRコードを遊技者が携帯電話機などのカメラで撮像し、QRコードをデコードすることにより得られるURLにアクセスすることで、ポイントサーバよりポイントが配信されるといったサービスが提案されている（特許文献１参照）。
【０００３】
【特許文献１】特開２００７−０４４２９３号公報
【発明の開示】
【発明が解決しようとする課題】
【０００４】
しかしながら、特許文献１に代表されるQRコードの表示方法およびQRコードを用いたサーバへのアクセス方法の場合、大当りなど所定の条件を満たした遊技者に対しては一律のサービスが提供されている為、男女の性別、年代により、必ずしも喜ばれるサービスが提供されているわけではなかった。
【０００５】
本発明はこのような状況に鑑みてなされたものであり、遊技者の属性と、遊技者の遊技している遊技台の遊技状態とに対応して配信情報を提示できるようにするものである。
【課題を解決するための手段】
【０００６】
本発明の一側面の情報処理装置は、照合対象者の顔画像の特徴量に基づいて推定された前記照合対象者の属性を示す属性情報を取得する属性情報取得手段と、前記属性情報取得手段により取得された属性情報を属性管理テーブルに格納する属性情報格納手段と、前記属性情報に対応付けて配信情報管理テーブルに格納された配信情報のうち、前記属性管理テーブルに格納されている属性情報に対応した配信情報を選択する選択手段と、前記選択手段により選択された配信情報を提示する提示手段とを含む。
【０００７】
前記照合対象者の顔画像を取得する顔画像取得手段と、前記顔画像取得手段により取得された照合対象者の顔画像より照合特徴量を抽出する特徴量抽出手段と、前記顔画像により照合対象者の属性を識別するための基準特徴量と前記照合特徴量との類似度を計算し、類似度と所定の閾値との比較により、前記照合対象者の属性を推定し、前記属性を示す属性情報を生成する属性推定手段とをさらに含ませるようにすることができる。
【０００８】
前記照合対象者は、遊技台で遊技する遊技者とすることができ、前記遊技台の遊技状態を示す遊技情報を取得する遊技情報取得手段をさらに含ませるようにすることができ、前記配信情報管理テーブルには、前記属性情報と前記遊技情報とに対応付けて配信情報を格納させ、前記選択手段には、前記配信情報管理テーブルに格納された配信情報のうち、前記属性情報取得手段により取得された属性情報と、前記遊技情報取得手段により取得された遊技情報とに対応する配信情報を選択させるようにすることができる。
【０００９】
前記提示手段は、前記遊技台、または、前記遊技媒体貸出装置に設けられた表示装置とすることができる。
【００１０】
前記属性は、前記照合対象者の性別および年齢を含ませるようにすることができる。
【００１１】
本発明の一側面の情報処理方法は、照合対象者の顔画像の特徴量に基づいて推定された前記照合対象者の属性を示す属性情報を取得する属性情報取得ステップと、前記属性情報取得ステップの処理により取得された属性情報を属性管理テーブルに格納する属性情報格納ステップと、前記属性情報に対応付けて配信情報管理テーブルに格納された配信情報のうち、前記属性管理テーブルに格納されている属性情報に対応した配信情報を選択する選択ステップと、前記選択手段により選択された配信情報を提示する提示ステップとを含む。
【００１２】
本発明の一側面のプログラムは、照合対象者の顔画像の特徴量に基づいて推定された前記照合対象者の属性を示す属性情報を取得する属性情報取得ステップと、前記属性情報取得ステップの処理により取得された属性情報を属性管理テーブルに格納する属性情報格納ステップと、前記属性情報に対応付けて配信情報管理テーブルに格納された配信情報のうち、前記属性管理テーブルに格納されている属性情報に対応した配信情報を選択する選択ステップと、前記選択手段により選択された配信情報を提示する提示ステップとを含む処理をコンピュータに実行させる。
【００１３】
本発明の一側面においては、照合対象者の顔画像の特徴量に基づいて推定された前記照合対象者の属性を示す属性情報が取得され、取得された属性情報が属性管理テーブルに格納され、前記属性情報に対応付けて配信情報管理テーブルに格納された配信情報のうち、前記属性管理テーブルに格納されている属性情報に対応した配信情報が選択され、選択された配信情報が提示される。
【００１４】
本発明の一側面の情報処理装置における、照合対象者の顔画像の特徴量に基づいて推定された前記照合対象者の属性を示す属性情報を取得する属性情報取得手段とは、例えば、テーブル管理部であり、前記属性情報取得手段により取得された属性情報を属性管理テーブルに格納する属性情報格納手段とは、例えば、属性情報管理部であり、前記属性情報に対応付けて配信情報管理テーブルに格納された配信情報のうち、前記属性管理テーブルに格納されている属性情報に対応した配信情報を選択する選択手段とは、例えば、URL選択部であり、前記選択手段により選択された配信情報を提示する提示手段とは、例えば、表示部である。
【００１５】
すなわち、テーブル管理部が、照合対象者の顔画像の特徴量に基づいて推定された前記照合対象者の属性を示す属性情報を取得し、属性情報管理部が、取得された属性情報を属性管理テーブルに格納し、URL選択部が、前記属性情報に対応付けて配信情報管理テーブルに格納された配信情報のうち、前記属性管理テーブルに格納されている属性情報に対応した配信情報を選択し、表示部が、選択された配信情報を提示する。
【００１６】
結果として、年代や性別といった属性を示す属性情報に対応した配信情報を提示することができるので、顔画像に基づいて推定される属性情報に対応した遊技者の年代や性別に最適な配信情報が格納されているURLを選択し、提示することが可能となる。
【発明の効果】
【００１７】
本発明によれば、遊技者の年代や性別に適した配信情報を提示することが可能となる。
【発明を実施するための最良の形態】
【００１８】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
すなわち、本発明の一側面の情報処理装置は、本発明の一側面の情報処理装置は、照合対象者の顔画像の特徴量に基づいて推定された前記照合対象者の属性を示す属性情報を取得する属性情報取得手段（例えば、図１１のテーブル管理部２７２）と、前記属性情報取得手段により取得された属性情報を属性管理テーブル（例えば、図１１の属性管理テーブル２７３）に格納する属性情報格納手段（例えば、図１１の属性情報管理部２７２ａ）と、前記属性情報に対応付けて配信情報管理テーブル（例えば、図１１のURL管理テーブル２７４）に格納された配信情報のうち、前記属性管理テーブルに格納されている属性情報に対応した配信情報を選択する選択手段（例えば、図１１のURL選択部）と、前記選択手段により選択された配信情報を提示する提示手段（例えば、図１１の表示部１０１）とを含む。
【００２０】
前記照合対象者の顔画像を取得する顔画像取得手段（例えば、図９の顔画像取得部２２１）と、前記顔画像取得手段により取得された照合対象者の顔画像より照合特徴量を抽出する特徴量抽出手段（例えば、図９の特徴量抽出部２３１）と、前記顔画像により照合対象者の属性を識別するための基準特徴量と前記照合特徴量との類似度を計算し、類似度と所定の閾値との比較により、前記照合対象者の属性を推定し、前記属性を示す属性情報を生成する属性推定手段（例えば、図９の年代推定部２３２、または性別推定部２３３）とをさらに含ませるようにすることができる。
【００２１】
前記照合対象者は、遊技台で遊技する遊技者とすることができ、前記遊技台の遊技状態を示す遊技情報を取得する遊技情報取得手段（例えば、図１１の遊技情報管理部２７２ｂ）をさらに含ませるようにすることができ、前記配信情報管理テーブルには、前記属性情報と前記遊技情報とに対応付けて配信情報を格納させ、前記選択手段（例えば、図１１のURL選択部）には、前記配信情報管理テーブルに格納された配信情報のうち、前記属性情報取得手段により取得された属性情報と、前記遊技情報取得手段により取得された遊技情報とに対応する配信情報を選択させるようにすることができる。
【００２２】
本発明の一側面の情報処理方法は、照合対象者の顔画像の特徴量に基づいて推定された前記照合対象者の属性を示す属性情報を取得する属性情報取得ステップ（例えば、図１３のステップＳ３１）と、前記属性情報取得ステップの処理により取得された属性情報を属性管理テーブルに格納する属性情報格納ステップ（例えば、図１３のステップＳ３２）と、前記属性情報に対応付けて配信情報管理テーブルに格納された配信情報のうち、前記属性管理テーブルに格納されている属性情報に対応した配信情報を選択する選択ステップ（例えば、図１５のステップＳ７５）と、前記選択手段により選択された配信情報を提示する提示ステップ（例えば、図１５のステップＳ８３）とを含む。
【００２３】
図１は、本発明に係る遊技店のサービス提供システムの一実施の形態の構成を示す図である。
【００２４】
遊技店１−１乃至１−ｎは、いわゆるパチンコ店、パチスロ店、または、カジノ店である。また、これらの遊技店１−１乃至１−ｎは、系列店舗または第３者遊技店管理センタの加盟店であって、複数の店舗を統括的に管理する必要のある店舗である。各遊技店１−１乃至１−ｎは、第３者遊技店管理バス５により接続されており、それらのバスおよびインターネット等に代表される公衆通信回線網４を介して、相互にそれぞれ第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００２５】
第３者遊技店管理センタ２は、第３者遊技店管理センタを管理運営する事業者により使用されるサーバであり、第３者遊技店管理データベース（DB）３で管理されている媒体貸出管理情報からなるDBを各遊技店１より供給されてくる情報に基づいて更新すると供に、更新した最新の媒体貸出管理情報を各遊技店１の媒体貸出管理装置２７に対して配信する。
【００２６】
サービス提供サイト７は、インターネット６を介してアクセスしてくる携帯端末４１に対して、提供サービスデータベース８に記憶されている遊技者の性別や年代といった属性別に提供する各種のサービス情報を配信する。
【００２７】
生体情報認識装置２１は、カメラ３８−１乃至３８−ｍにより撮像された画像より画像処理ユニット３９−１乃至３９−ｍにより抽出されて、生体情報バス３１を介して供給されてくる顔画像の情報に基づいて、生体情報データベース２２に予め登録されている年代や性別といった遊技者の属性を識別するための生体情報と照合し、照合結果に基づいて、遊技者の属性を推定する。さらに、生体情報認識装置２１は、推定した属性情報を媒体貸出管理装置２７に供給する。
【００２８】
遊技店管理装置２４は、いわゆるホールコンピュータと呼ばれるものであり、遊技店管理情報バス３０を介して遊技台３６−１乃至３６−ｍの動作を監視している。遊技店管理装置２４は、遊技台３６の出玉もしくはメダルの払い出しの情報、各遊技台３６−１乃至３６−ｍの遊技者の呼び出し情報、またはエラーの発生などの監視状況に応じて、所定の処理を実行し、実行結果をLCD（Liquid Crystal Display）や有機EL（Electro Luminescence）などからなる表示部２５に表示する。遊技店管理装置２４は、計数機３５、遊技台３６−１乃至３６−ｍ、および遊技媒体貸出装置３７−１乃至３７−ｍのそれぞれより供給されてくる遊技情報（大当り中、確率変動モード中、または時短モード中などの動作情報を含む）を、それぞれを識別する識別情報（例えば、台番号）とを対応付けて管理テーブルとして遊技台管理データベース２６で管理する。さらに、遊技店管理装置２４は、遊技台管理データベース２６で管理されている管理テーブルの情報に応じて、遊技台３６の遊技情報を媒体貸出管理装置２７に供給する。
【００２９】
媒体貸出管理装置２７は、精算販売機３３、および貸出機３４からの情報に基づいて、貸し出される遊技媒体の媒体貸出管理情報を媒体貸出管理データベース２９を用いて管理すると供に、媒体貸出管理データベース２９に登録されている媒体貸出管理情報を更新する際、その更新情報を、第３者遊技店管理バス５および公衆通信回線網９を介して第３者遊技店管理センタ２に送る。さらに、媒体貸出管理装置２７は、第３者遊技店管理バス５および公衆通信回線網４を介して第３者遊技店管理センタ２により供給されてくる媒体貸出管理情報を取得し、媒体貸出管理データベース２９に蓄積させる。また、媒体貸出管理装置２７は、遊技者に配信する情報を提供するサービス提供サイト７のURLの情報を、属性情報、および遊技情報に対応付けて記憶しており、生体情報認識装置２１より供給されてくる属性情報、および遊技店管理装置２４より供給されてくる遊技情報に基づいて、URLの情報を選択して、遊技媒体貸出装置３７に供給する。
【００３０】
貸出機３４は、遊技者が遊技台３６で遊技する際、現金やプリペイドカードなどにより所定の金額を受け付けると、金額に応じた個数の遊技媒体を貸し出す。この際、貸出機３４は、受け付けた現金やプリペイドカードの残数などの情報と供に、貸し出した遊技媒体の個数の情報を媒体貸出管理装置２７に供給する。これにより、媒体貸出管理装置２７は、受け付けた現金やプリペイドカードの残数などの情報と供に、貸し出した遊技媒体の個数の情報を媒体貸出管理情報データベース２９に登録する。
【００３１】
精算販売機３３は、貸球を借りるための度数をつけてプリペイドカードを販売する。このとき、精算販売機３３は、販売したプリペイドカードの度数と払いうけた金額とを媒体貸出管理装置２７に供給する。また、精算販売機３３は、プリペイドカードなどの度数として貸し出した遊技媒体の残数に基づいて現金を精算して払い出す。このとき、精算販売機３３は、プリペイドカードの残数と払い戻した現金の金額を媒体貸出管理装置２７に供給する。
【００３２】
計数機３５は、遊技者が遊技台３６により遊技することにより獲得した遊技媒体の数を、計数し、計数結果を磁気カードやレシートなどとして出力する。
【００３３】
遊技台３６−１乃至３６−ｍは、遊技者により所定の操作がなされることにより、遊技を実行し、いわゆる小当たりや大当たりに応じて、遊技球、または、メダルを払い出す。
【００３４】
遊技媒体貸出装置３７−１乃至３７−ｍは、各遊技台３６−１乃至３６−ｍに対応して設けられている、いわゆる台間機である。また、遊技媒体貸出装置３７は、遊技台３６を遊技する遊技者の顔画像などの生体情報を取得し、遊技台識別情報（台番号）と共に生体情報認識装置２１に送信する。また、遊技媒体貸出装置３７−１乃至３７−ｍは、対応する遊技台３６の動作状態を示す遊技情報と、遊技者の属性を示す属性情報に対応して、遊技媒体管理装置２７より供給されるURLの情報を取得し、URLの情報に基づいてアクセスしたサービス提供サイト７より配信される配信情報を表示部１０１−１乃至１０１−ｍ（図２，図４，図６）に表示する。尚、図１においては、生体情報を取得する機能として、遊技者の顔画像を取得するカメラ３８−１乃至３８−ｍが設けられている例が示されている。
【００３５】
カメラ３８−１乃至３８−ｍは、例えば、図２で示されるように、各遊技台３６−１乃至３６−４のそれぞれの上部に設けられた台表示ランプ６１−１乃至６１−４の下部に図３で示されるように、読取範囲δ内に遊技者が撮像できるように設け、顔画像を撮像するようにしてもよく、このようにすることにより、各カメラIDは、同時に遊技台IDとして使用することが可能となる。
【００３６】
また、カメラ３８−１乃至３８−ｍは、例えば、図４で示されるように、遊技媒体貸出装置３７−１乃至３７−４に凸部７１−１乃至７１−４を設け、図５で示されるように読取範囲θ内に遊技者の顔画像が撮像できるように設けるようにしてもよい。
【００３７】
さらに、カメラ３８−１乃至３８−ｍは、例えば、図６で示されるように、遊技台３６の中央部（遊技台３６の盤面上）に設けるようにして、撮像するようにしてもよい。すなわち、図６の設置部８１にカメラ３８が設置されることにより、図７で示されるように、読取範囲φ内に遊技者を撮像する。
【００３８】
次に、図８を参照して、画像処理ユニット３９の構成例について説明する。
【００３９】
画像取得部２０１は、カメラ３８により撮像された画像を取得し、顔画像抽出部２０２に供給する。顔画像抽出部２０２は、画像取得部２０１より供給されてきた画像内に、顔を構成する部位の配置などのパターンにより顔画像からなる矩形画像を抽出して送信部２０３に供給する。送信部２０３は、顔画像を生体情報認識装置２１に送信する。
【００４０】
次に、図９を参照して、生体情報認識装置２１の構成例について説明する。
【００４１】
顔画像取得部２２１は、画像処理ユニット３９より供給される顔画像を取得し、属性推定部２２２に供給する。属性推定部２２２は、特徴量抽出部２３１、年代推定部２３２、および性別推定部２３３を備えている。属性推定部２２２は、顔画像取得部２２１により取得された顔画像の特徴量を抽出し、さらに、生体情報DB２２に予め登録されている年代および性別を識別するための特徴量とから類似度を計算し、類似度の値に基づいて、年代、および、性別を推定し、顔画像に含まれるカメラ３８を識別する情報と対応する台番号と共に通信部２２３より媒体貸出管理装置２７に送信させる。
【００４２】
より詳細には、属性推定部２２２の特徴量抽出部２３１は、顔画像を識別するための特徴量を抽出して、顔画像と共に年代推定部２３２および性別推定部２３３に供給する。年代推定部２３２および性別推定部２３３は、それぞれ生体情報DB２２に予め登録されている年代および性別を識別するための特徴量を抽出すると供に、特徴量抽出部２３１より供給されてくる特徴量とを用いて、類似度を求め、顔画像取得部２２１より供給されてきた顔画像の年代および性別を推定する。
【００４３】
次に、図１０を参照して、遊技台３６および遊技店管理装置２４の構成例について説明する。
【００４４】
遊技台３６は、図示せぬ遊技機能を備える他、遊技状態監視部３６ｂおよび通信部３６ａを備えている。
【００４５】
遊技状態監視部３６ｂは、遊技状態を監視し、特殊遊技状態であるか否かを判定し、特殊遊技状態となったとき、通信部３６ａを制御して、特殊遊技状態となったことを遊技店管理装置２４に通知する。ここで、特殊遊技状態とは、大当り、確率変動モード（抽選する機会が発生する確率が増える動作モード）、および時短モード（１回の抽選時間が短くなる動作モード）などである。
【００４６】
遊技店管理装置２４は、遊技情報収集部２４１、遊技情報抽出部２４２、表示部２４３、および通信部２４４を備えている。
【００４７】
遊技情報収集部２４１は、遊技台３６−１乃至３６−ｍのそれぞれから供給されてくる遊技台３６の遊技情報を収集し、遊技台３６を識別する台番号に対応付けて、遊技台管理データベース２６に登録する。ここで、遊技情報とは、例えば、遊技台３６の遊技状態の情報であり、例えば、大当り、小当り、確率変動中、または、時短モード中であり、台番号に対応付けられて、管理テーブルとして遊技台管理データベース２６に時系列に蓄積される。
【００４８】
遊技情報抽出部２４２は、遊技情報収集部２４１により遊技台管理データベース２６の更新があったことが通知されると、遊技台管理データベース２６における管理テーブルで管理されている遊技情報を抽出し、LCD、または有機ELなどからなる表示部２４３に表示させると共に、通信部２４４より媒体貸出管理装置２７に送信する。
【００４９】
次に、図１１を参照して、媒体貸出管理装置２７、および遊技媒体貸出装置３７の構成例について説明する。
【００５０】
媒体貸出管理装置２７のテーブル管理部２７２は、通信部２７１を介して生体情報認識装置２１より供給されてくる台番号に対応付けて供給されてくる年代および性別の推定結果である属性情報と、遊技店管理装置２４より供給されてくる台番号に対応付けられた遊技情報とを取得し、台番号と対応付けて属性管理テーブル２７３に登録する。
【００５１】
より詳細には、テーブル管理部２７２は、属性情報管理部２７２ａおよび遊技情報管理部２７２ｂを備えており、それぞれを制御して、取得した年代および性別の推定結果である属性情報と、遊技情報とを、台番号に対応付けて属性管理テーブル２７３に登録させる。
【００５２】
URL選択部２７５は、判定部２７５ａを制御して、属性管理テーブル２７３に登録されている遊技情報について、それぞれ所定の特殊遊技状態であるか否かを判定させ、特殊遊技状態である場合、対応する年代および性別の推定結果である属性情報と、台番号により特定される遊技台の機種を含む遊技情報に基づいて、URL管理テーブル２７４に登録されているURLの情報を選択し、通信部２７６を介して、対応する台番号の遊技媒体貸出装置３７に送信する。
【００５３】
遊技媒体貸出装置３７の制御部２９２は、遊技媒体貸出装置３７の動作の全体を制御しており、操作ボタンや現金投入部などからなる操作部２９３が操作されると、払出部２９４を制御して、対応付けて設けられている遊技台３６に投入された現金と対応する数の遊技媒体を遊技台３６に払い出させる。また、制御部２９２は、通信部２９１を制御して、媒体貸出管理装置２７より送信されてくるURLの情報を受信させる。また制御部２９２は、受信したURLの情報に基づいて、QRコード生成部２９２ａを制御して、QRコードを生成させると共に、画面生成部２９２ｂを制御して、特殊遊技状態であることを示す画面を生成させ、表示部１０１に表示させる。
【００５４】
次に、図１２を参照して、携帯端末４１の構成例について説明する。
【００５５】
撮像部４２１は、撮像素子および光学機器より構成されており、図示せぬ操作部により撮像が指示されると、例えば、遊技媒体貸出装置３７の表示部１０１に表示されたQRコードなどの画像を撮像し、画像データとして画像処理部４２２に供給する。
【００５６】
画像処理部４２２は、画像が供給されてくると、画像中にQRコードの有無を検出するとともにQRコードが存在する場合、QRコードを解析して、URLをデコードし、通信部４２３に供給する。
【００５７】
通信部４２３は、画像処理部４２２より供給されてくるURLに基づいて、ネットワーク６を介してサービス提供サイト７にアクセスし、所定のサービス情報を含むデータを受信すると共に、受信したデータをLCDや有機ELなどからなる表示部４２４に表示させる。
【００５８】
次に、図１３のフローチャートを参照して、属性推定処理について説明する。
【００５９】
ステップＳ１において、カメラ３８は、設置されている範囲の画像を撮像し、撮像した画像を画像処理ユニット３９に供給する。画像処理ユニット３９の画像取得部２０１は、供給された画像を取得し、顔画像抽出部２０２に供給する。すなわち、カメラ３８は、遊技台３６に着座した遊技者の上半身部分を撮像する。
【００６０】
ステップＳ２において、顔画像抽出部２０２は、供給された画像より遊技者の顔画像を抽出し、送信部２０３に供給する。より具体的には、顔画像抽出部２０２は、例えば、撮像された画像の色などから肌が露出した部分であって、目や鼻といった特徴的な部位の配置などから顔画像を抽出して、送信部２０３に供給する。
【００６１】
ステップＳ３において、送信部２０３は、顔画像抽出部２０２より供給されてきた顔画像を生体情報認識装置２１に送信する。この際、送信部２０３は、カメラ３８のそれぞれを識別するカメラIDに対応する台番号や、送信時刻の情報などの情報を顔画像に付加して生体情報認識装置２１に送信する。すなわち、この処理により、カメラ３８が設けられた遊技台３６に着座している遊技者の顔画像が撮像されて、台番号に対応付けられて生体情報認識装置２１に送信されることになる。
【００６２】
ステップＳ２１において、生体情報認識装置２１の顔画像取得部２２１は、顔画像を取得する。ステップＳ２２において、顔画像取得部２２１は、供給された顔画像のうち、いずれか未処理の１つを抽出し、特徴量抽出部２３１に供給する。
【００６３】
ステップＳ２３において、属性推定部２２２の特徴量抽出部２３１は、供給されてきた顔画像より特徴量を抽出して、年代推定部２３２、および性別推定部２３３に供給する。
【００６４】
ステップＳ２４において、年代推定部２３２は、生体情報DB２２に登録されている年代毎の基準となる特徴量を抽出し、特徴量抽出部２３１より供給された顔画像についての年代を推定するための顔の特徴量（照合特徴量）と、生体情報DB２２に登録されている年代毎の基準となる特徴量（基準特徴量）とを用いて、それぞれの差分和、平均比率、または比率和などを類似度として計算し、計算結果から最も類似度の高い年代を、顔画像に付されていた台番号と共に年代の属性情報として通信部２２３に出力する。
【００６５】
ステップＳ２５において、性別推定部２３３は、生体情報DB２２に登録されている性別毎の基準となる特徴量を抽出し、特徴量抽出部２３１より供給された顔画像についての性別を推定するための顔の特徴量（照合特徴量）と、生体情報DB２２に登録されている性別毎の基準となる特徴量（基準特徴量）とを用いて、それぞれの差分和、平均比率、または比率和などを類似度として計算し、計算結果から最も類似度の高い性別を、顔画像に付されていた台番号と共に性別の属性情報として通信部２２３に出力する。
【００６６】
ステップＳ２６において、通信部２２３は、顔画像の特徴量から推定された年代、および性別の情報を、属性情報として、台番号に対応付けて媒体貸出管理装置２７に通知する。
【００６７】
ステップＳ３１において、通信部２７１は、生体情報認識装置２１より台番号に対応付けて属性情報が送信されてきたか否かを判定し、送信されてきたと判定されるまで、同様の処理を繰り返す。ステップＳ３１において、例えば、ステップＳ２６の処理により、属性情報が送信されてきた場合、ステップＳ３２において、通信部２７１は、台番号に対応付けて、送信されてきた属性情報をテーブル管理部２７２に供給する。テーブル管理部２７２は、属性情報を取得すると、属性情報管理部２７２ａを制御して、台番号に対応付けて、例えば、図１４で示されるような属性管理テーブル２７３に登録させる（更新させる）。
【００６８】
すなわち、図１４における属性管理テーブル２３においては、左から台番号、属性情報である年代、および性別に加え、さらに遊技情報が登録されている。
【００６９】
したがって、図１４で示される属性管理テーブル２３においては、台番号１の遊技台３６のカメラ３８で撮像された顔画像の人物が、２０歳代の男性であって、その遊技台３６が、５回目の大当り中であることが示されており、台番号２の遊技台３６のカメラ３８で撮像された顔画像の人物が、３０歳代の女性であって、その遊技台３６が、７回大当りしており、今現在確率変動モード中であることが示されており、台番号３の遊技台３６のカメラ３８で撮像された顔画像の人物が、４０歳代の女性であって、その遊技台３６が２回大当りしていることが示されており、・・・台番号５１８の遊技台３６のカメラ３８では、顔画像が撮像されておらず、遊技者が存在しないことが示されており、台番号５１９の遊技台３６のカメラ３８で撮像された顔画像の人物が、６０歳以上の男性であって、その遊技台３６が時短モード中であることが示されており、台番号５２０の遊技台３６のカメラ３８で撮像された顔画像の人物が、５０歳代の男性であって、その遊技台３６が１回大当りしていることが示されている。
【００７０】
尚、図１４には、遊技情報が登録されている例が示されているが、遊技情報の登録（更新）については、詳細を図１５のフローチャートを参照して後述する。
【００７１】
以上の処理により、遊技者が遊技台３６に着座して、遊技を開始すると、遊技を開始している間中、遊技者の顔画像から年代と性別とが推定され属性情報として、台番号に対応付けて、属性管理テーブル２７３に登録、または更新され続けることになる。
【００７２】
次に、図１５のフローチャートを参照して、表示処理について説明する。
【００７３】
ステップＳ４１において、遊技状態監視部３６ｂは、遊技状態が特殊遊技状態となったか否かを判定し、特殊遊技状態となるまで、同様の処理を繰り返す。ステップＳ４１において、例えば、大当り、確率変動モード、または時短モードとなることにより、特殊遊技状態となった場合、ステップＳ４２において遊技状態監視部３６ｂは、通信部３６ａを制御して、台番号と共に、今現在の遊技状態を示す遊技情報を遊技店管理装置２４に通知させる。
【００７４】
ステップＳ５１おいて、遊技情報収集部２４１は、いずれかの遊技台３６より特殊遊技状態となったことを示す遊技情報が送信されてきたか否かを判定し、遊技情報が送信されてくるまで、同様の処理を繰り返す。ステップＳ５１において、例えば、ステップＳ４２の処理により、遊技情報が通知されてきた場合、ステップＳ５２において、遊技情報収集部２４１は、送信されてきた遊技情報を取得すると共に、取得した遊技情報を台番号に対応付けて遊技台管理データベース２６に管理テーブルとして登録する（更新する）。さらに、遊技情報収集部２４１は、遊技情報を登録、または、更新したことを遊技情報抽出部２４２に通知する。
【００７５】
ステップＳ５３において、遊技情報抽出部２４２は、遊技情報収集部２４１からの遊技情報の登録、または、更新の通知に基づいて、遊技台管理データベース２６に登録された（更新された）遊技情報を読み出し、表示部２４３に表示すると共に、台番号に対応付けて通信部２４４を制御して、媒体貸出管理装置２７に送信する。
【００７６】
ステップＳ７１において、通信部２７１は、遊技店管理装置２４より台番号に対応付けて遊技情報が送信されてきたか否かを判定し、送信されてきたと判定されるまで、同様の処理を繰り返す。ステップＳ７１において、例えば、ステップＳ５３の処理により、遊技情報が送信されてきた場合、ステップＳ７２において、通信部２７１は、台番号に対応付けて、送信されてきた遊技情報をテーブル管理部２７２に供給する。テーブル管理部２７２は、遊技情報を取得し、遊技情報管理部２７２ｂを制御して、台番号に対応付けて遊技情報を、例えば、図１４で示されるような属性管理テーブル２７３に登録させる（更新させる）。
【００７７】
ステップＳ７３において、URL選択部２７５は、判定部２７５ａを制御して、属性管理テーブル２７３において、所定の特殊遊技状態であるか否かを判定させ、例えば、所定の特殊遊技状態ではない場合、処理は、ステップＳ７１に戻る。ここで、所定の特殊遊技状態とは、例えば、大当りが５回目である、または、１０回目であるといった、特殊遊技状態が、所定の状態となることを示す。
【００７８】
一方、ステップＳ７３において、例えば、図１４における台番号１で示されるように、大当りが５回目であり、所定の特殊遊技状態であると判定された場合、ステップＳ７４において、URL選択部２７５は、図１６で示されるような属性管理テーブル２７３に登録されているサービス提供サイト７のURLの情報を全て読み出して取得する。
【００７９】
ステップＳ７５において、URL選択部２７５は、取得した全URLの情報のうち、特殊遊技状態の遊技台６の台番号に対応付けて登録されている属性情報である年代および性別に対応するURLの情報を選択する。すなわち、URL選択部２７５は、例えば、図１６で示されるようなURL管理テーブル２７４より、特殊遊技状態となっている遊技台の台番号により特定される、特殊遊技状態の種類（遊技履歴）、機種、および、属性情報に対応して、URLの情報を選択して通信部２７６に供給する。
【００８０】
すなわち、図１６においては、上から２０歳代の男性、女性、３０歳代の男性、女性、４０歳代の男性、女性、５０歳代の男性、女性、６０歳代以上の男性、女性がされぞれ区分されており、右から台番号１乃至２５０における遊技台３６の機種Ａ、および、台番号２５１乃至５２０における遊技台３６の機種Ｂのそれぞれについて、特殊遊技状態の種類が大当り５回の場合および１０回の場合について、それぞれ異なるサービスを提供するURLが格納されている。
【００８１】
したがって、例えば、２０歳代の男性が機種Ａの、台番号が１乃至２５０遊技台３６の場合、大当りが５回のとき、http://A.A/が選択され、大当りが１０回のとき、http://A.AA/が選択され、大当りが５回のときhttp://A.AAA/が選択され、大当りが１０回のときhttp://A.AAAA/が選択される。
【００８２】
また、同様に、例えば、２０歳代の女性が機種Ａの、台番号が１乃至２５０遊技台３６の場合、大当りが５回のとき、http://B.B/が選択され、大当りが１０回のとき、http://B.BB/が選択され、大当りが５回のとき、http://B.BBB/が選択され、大当りが１０回のときhttp://B.BBBB/がURLとして選択される。
【００８３】
さらに、例えば、３０歳代の男性が機種Ａの、台番号が１乃至２５０遊技台３６の場合、大当りが５回のとき、http://C.C/が選択され、大当りが１０回のとき、http://C.CC/が選択され、大当りが５回のときhttp://C.CC/が選択され、大当りが１０回のときhttp://C.CCC/が選択される。
【００８４】
また、同様に、例えば、３０歳代の女性が機種Ａの、台番号が１乃至２５０遊技台３６の場合、大当りが５回のとき、http://D.D/が選択され、大当りが１０回のとき、http://D.DD/が選択され、大当りが５回のとき、http://D.DDD/が選択され、大当りが１０回のときhttp://D.DDDD/がURLとして選択される。
【００８５】
さらに、例えば、４０歳代の男性が機種Ａの、台番号が１乃至２５０遊技台３６の場合、大当りが５回のとき、http://E.E/が選択され、大当りが１０回のとき、http://E.EE/が選択され、大当りが５回のときhttp://E.EEE/が選択され、大当りが１０回のときhttp://E.EEEE/が選択される。
【００８６】
また、同様に、例えば、４０歳代の女性が機種Ａの、台番号が１乃至２５０遊技台３６の場合、大当りが５回のとき、http://F.F/が選択され、大当りが１０回のとき、http://F.FF/が選択され、大当りが５回のとき、http://F.FFF/が選択され、大当りが１０回のときhttp://F.FFFF/がURLとして選択される。
【００８７】
さらに、例えば、５０歳代の男性が機種Ａの、台番号が１乃至２５０遊技台３６の場合、大当りが５回のとき、http://G.G/が選択され、大当りが１０回のとき、http://G.GG/が選択され、大当りが５回のときhttp://G.GGG/が選択され、大当りが１０回のときhttp://G.GGGG/が選択される。
【００８８】
また、同様に、例えば、５０歳代の女性が機種Ａの、台番号が１乃至２５０遊技台３６の場合、大当りが５回のとき、http://H.H/が選択され、大当りが１０回のとき、http://H.HH/が選択され、大当りが５回のとき、http://H.HHH/が選択され、大当りが１０回のときhttp://H.HHHH/がURLとして選択される。
【００８９】
さらに、例えば、６０歳代以上の男性が機種Ａの、台番号が１乃至２５０遊技台３６の場合、大当りが５回のとき、http://I.I/が選択され、大当りが１０回のとき、http://I.II/が選択され、大当りが５回のときhttp://I.III/が選択され、大当りが１０回のときhttp://I.IIII/が選択される。
【００９０】
また、同様に、例えば、６０歳代以上の女性が機種Ａの、台番号が１乃至２５０遊技台３６の場合、大当りが５回のとき、http://J.J/が選択され、大当りが１０回のとき、http://J.JJ/が選択され、大当りが５回のとき、http://J.JJJ/が選択され、大当りが１０回のときhttp://J.JJJJ/がURLとして選択される。
【００９１】
これらのURLの情報は、それぞれの特殊遊技状態の種類、遊技台３６の機種、および属性情報に対応したサービスを提供するサイトを示すURLであり、各URLでアクセス可能なサービス提供サイト７に格納されている情報は、それぞれの特殊遊技状態の種類、遊技台３６の機種、および属性情報の遊技者に最適なサービスを提供する情報である。
【００９２】
ステップＳ７６において、通信部２７６は、URL選択部２７５より供給されてきたURLの情報を、URLの選択に使用された属性情報と共に、台番号の遊技台３６に設けられた遊技媒体貸出装置３７に通知する。
【００９３】
ステップＳ８１において、制御部２９２は、通信部２９１を制御して、媒体貸出管理装置２７よりURLの情報が送信されてきたか否かを判定し、送信されてきたと判定されるまで、同様の処理を繰り返す。ステップＳ８１において、例えば、ステップＳ７６の処理により、URLの情報が送信されてきた場合、ステップＳ８２において、制御部２９２は、通信部２９１を制御して、送信されてきたURLの情報、および、属性情報を取得する。さらに、制御部２９２は、QRコード生成部２９２ａを制御して、取得したURLの情報に対応するQRコードを生成させるとともに、画面生成部２９２ｂを制御して、属性情報に対応する画面を生成し、ステップＳ８３において、例えば、図１７で示されるような、画面Ｐを表示部１０１に表示させる。
【００９４】
すなわち、図１７においては、「５回目  大当り！！  おめでとうございます」と５回目の大当りが発生したことを示す画面Ｐが表示される。さらに、「お得なポイントやプレミアムアイテムＧＥＴのチャンス！あなたの携帯電話で左のQRコードを読み取って下さい。さあ、今すぐアクセス！！」と表示されており、画面Ｐの右下にはQRコード表示欄Ｃが表示される。さらに、画面Ｐには、属性情報に応じて大当りを喜ぶ人物のキャラクタ表示部Ｆが設けられている。図１７においては、例えば、属性情報が、２０歳代の女性である場合の例であり、属性情報に対応する若い女性のキャラクタがキャラクタ表示部Ｆに表示されている。
【００９５】
ステップＳ８４において、制御部２９２は、所定時間が経過した後、表示部１０１における表示を消去し、処理は、ステップＳ８１に戻る。
【００９６】
これにより、例えば、３０歳代の男性が、キャラクタＺが登場する遊技台３６の機種を遊技し、５回目の大当りをしたような場合、３０歳代の男性に人気のある、キャラクタＺの関連情報を配信するサービス提供サイト７のURLを示すQRコード表示欄Ｃに表示すると共に、３０歳台の男性に人気のあるタレントの顔画像が映し出されるキャラクタ表示部Ｆを含む画面Ｐを表示させることができる。
【００９７】
また、例えば、５０歳代の女性が、キャラクタＷが登場する遊技台３６の機種を遊技し、１０回目の大当りをしたような場合、５０歳代の女性に人気のある、キャラクタＷの関連情報のうち、５回目の大当りで配信するよりも、より希少性の高い情報を配信するサービス提供サイト７のURLを示すQRコード表示欄Ｃに表示すると共に、５０歳台の女性に人気のあるタレントの顔画像が映し出されるキャラクタ表示部Ｆを含む画面Ｐを表示させることができる。
【００９８】
以上の処理により、５回目、または１０回目といった大当りなどの所定の特殊遊技状態となった場合にのみ、遊技機種、年代および性別といった属性情報に基づいて、遊技者の年齢や性別に最適なサービス提供用の表示画面を生成し、表示（提示）することが可能となる。また、遊技機種、年代および性別といった属性情報に基づいて、遊技者の年齢や性別に最適なサービスを提供するサイトのURLの情報を提供することが可能となる。
【００９９】
次に、図１８のフローチャートを参照して、サービス提供サーバへのアクセス処理について説明する。
【０１００】
ステップＳ１０１において、撮像部４２１は、図示せぬ操作部が操作されて撮像が指示されたか否かを判定し、撮像が指示されるまで同様の処理を繰り返す。ステップＳ１０１において、例えば、図１５のステップＳ８３の処理により、図１７で示されるような画面Ｐが表示された状態で、QRコード表示欄Ｃに撮像部４２１を向けた状態で、撮像が指示された場合、ステップＳ１０２において、撮像部４２１は、QRコード表示欄Ｃに表示されているQRコードを撮像し、撮像した画像としてQRコードを画像処理部４２２に供給する。
【０１０１】
ステップＳ１０３において、画像処理部４２２は、撮像部４２１より供給されてきたQRコードの画像を解析し、含まれている情報であるURLの情報を抽出し、通信部４２３に供給する。
【０１０２】
ステップＳ１０４において、通信部４２３は、供給されてきたURLの情報と共に、そのURLで示されるサービス提供サイト７にアクセスするか否かを要求する画面を表示部４２４に表示する。
【０１０３】
ステップＳ１０５において、通信部４２３は、アクセスの要求があるか否かを判定し、アクセス要求がないと判定される場合、処理は、ステップＳ１０１に戻る。
【０１０４】
一方、ステップＳ１０５において、例えば、アクセスの要求があった場合、ステップＳ１０６において、通信部４２３は、インターネット６を介してURLにより指定されるサービス提供サイト７にアクセスする。
【０１０５】
ステップＳ１０７において、通信部４２３は、サービス提供サイト７より、例えば、サービス情報となるデータをダウンロードすると共に、ダウンロード結果となるサービス情報を表示部４２４に表示する。
【０１０６】
ステップＳ１０８において、通信部４２３は、図示せぬ操作部が操作されて表示の終了が指示されたか否かを判定し、終了が指示されない場合、処理は、ステップＳ１０７に戻る。すなわち、終了が指示されるまで、ダウンロードしたサービス情報を表示し続ける。そして、ステップＳ１０８において、終了が指示された場合、ステップＳ１０９において、通信部４２３は、表示部４２４によるサービス情報の表示を終了し、処理は、ステップＳ１０１に戻る。
【０１０７】
以上の処理により、５回目、または１０回目といった大当りなどの所定の特殊遊技状態となった場合にのみ、遊技機種、年代および性別といった属性情報に基づいて、遊技者の年齢や性別に最適なサービスを提供するサイトからサービス情報の提供を受けることが可能となる。
【０１０８】
結果として、遊技者は、例えば、遊技台の機種、所定の回数だけ大当りをさせるといった特殊遊技状態の種類により、その際にしか提示されないサービス情報を配信するサービス提供サイト７のURLを取得し、そのURLにより指定されるサービス提供サイト７へとアクセスして、希少性の高いサービスの提供を受けてみたいといった関心を示す可能性が高まるため、遊技意欲を向上させることが可能となる。
【０１０９】
以上の処理により、遊技台３６の機種、年代および性別といった属性情報に基づいて提供されるURLに基づいて、選択されたQRコードを撮像することにより、携帯端末４１により撮像されたQRコードから、特殊遊技状態の種類、遊技者の年代および性別といった属性情報、および、遊技していた遊技台３６の機種に基づいて、遊技者にとって最適なサービス提供サイト７にアクセスすることが可能となり、さらに、遊技者にとって最適なサービス情報の提供を受けることが可能となる。結果として、遊技者の遊技意欲を向上させることが可能となるため、遊技店における遊技台の稼働率を向上させることが可能となる。
【０１１０】
尚、以上においては、属性情報として年代および性別を用いた例を挙げて説明してきたが、遊技者の属性を特定できればよいので、属性情報は、年代、および性別以外のものであってもよい。また、特殊遊技状態の種類、遊技者の年代および性別といった属性情報、および、遊技していた遊技台３６の機種に対応するサービス情報を提供するサービス提供サイト７のURLをQRコードにより提示する例について説明してきたが、提供されるサービス情報はこれに限るものではなく、例えば、QRコードにより得られるサービスクーポンやサービスポイントなどであってもよい。さらに、提供される情報は、必ずしもQRコードではなくてもよく、例えば、バーコードや、視覚により認識できるテキスト情報などであってもよい。
【０１１１】
以上の如く、本発明によれば、年代や性別などの属性に基づいて、遊技者にとって最適なサービス情報を提示することが可能となる。
【０１１２】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１１３】
図１９は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１１４】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１１５】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１１６】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１１７】
また、本明細書において、システムとは、複数の装置により構成される装置全体を表すものである。
【図面の簡単な説明】
【０１１８】
【図１】本発明を適用したサービス提供システムの一実施の形態の構成を示す図である。
【図２】図１のカメラの設置例を示す図である。
【図３】図１のカメラの設置例を示す図である。
【図４】図１のカメラの設置例を示す図である。
【図５】図１のカメラの設置例を示す図である。
【図６】図１のカメラの設置例を示す図である。
【図７】図１のカメラの設置例を示す図である。
【図８】図１の画像処理ユニットの構成例を説明する図である。
【図９】図１の生体情報認識装置の構成例を説明する図である。
【図１０】図１の遊技店管理装置の構成例を説明する図である。
【図１１】図１の媒体貸出管理装置および遊技媒体貸出装置の構成例を説明する図である。
【図１２】図１の携帯端末の構成例を説明する図である。
【図１３】属性推定処理を説明するフローチャートである。
【図１４】属性管理テーブルを説明する図である。
【図１５】QRコード表示処理を説明するフローチャートである。
【図１６】URL管理テーブルを説明する図である。
【図１７】QRコード表示処理により表示される画面を説明するフローチャートである。
【図１８】サービス提供サーバへのアクセス処理を説明するフローチャートである。
【図１９】汎用のパーソナルコンピュータの構成例を説明する図である。
【符号の説明】
【０１１９】
１，１−１乃至１−ｎ  遊技店
２  第３者遊技店管理センタ
３  第３者遊技店管理データベース
４  公衆通信回線網
５  第３者遊技店管理バス
６  インターネット
７  サービス提供サイト
８  提供サービスデータベース
２１  生体情報認識装置
２２  生体情報データベース
２４  遊技店管理装置
２６  遊技台管理データベース
２７  媒体貸出管理装置
２９  媒体貸出管理データベース
３０  遊技店管理情報バス
３１  生体情報バス
３３  精算機
３４  貸出機
３５  計数機
３６，３６−１乃至３６−ｍ  遊技台
３７，３７−１乃至３７−ｍ  遊技台周辺端末
３８，３８−１乃至３８−ｍ  カメラ
３９，３９−１乃至３９−ｍ  画像処理ユニット
【図１】
2009201536.tif 000003
【図２】
2009201536.tif 000004
【図３】
2009201536.tif 000005
【図４】
2009201536.tif 000006
【図５】
2009201536.tif 000007
【図６】
2009201536.tif 000008
【図７】
2009201536.tif 000009
【図８】
2009201536.tif 000010
【図９】
2009201536.tif 000011
【図１０】
2009201536.tif 000012
【図１１】
2009201536.tif 000013
【図１２】
2009201536.tif 000014
【図１３】
2009201536.tif 000015
【図１４】
2009201536.tif 000016
【図１５】
2009201536.tif 000017
【図１６】
2009201536.tif 000018
【図１７】
2009201536.tif 000019
【図１８】
2009201536.tif 000020
【図１９】
2009201536.tif 000021